(57)【要約】      （修正有）【課題】アフィリエイターが、アフィリエイト活動の入り口となるウェブサイト及びそのコンテンツの作成に大きな手間を掛けることなく、本活動に参加することができるアフィリエイト装置を提供する。【解決手段】第１ユーザーを識別するユーザー識別情報を含むＵＲＬであって、アクセスすることによって所定のアプリがアクセスした端末において実行されるＵＲＬを生成し、所定のＳＮＳにおいてＵＲＬを投稿する操作を行う手段と、生成されたＵＲＬにアクセスし、所定のアプリが実行される第２ユーザー端末からの要求に応じて、所定のアプリを使用した所定のアクションがなされたことを検知する手段と、第２ユーザー端末がアクセスするＵＲＬからユーザー識別情報を抽出する手段と、抽出されたユーザー識別情報によって識別されるユーザーに対し、所定のアクションを起こさせた報酬を付与する手段と、を有する。【選択図】図２
2019133215.tif 000002
【特許請求の範囲】
【請求項１】
第１ユーザーが操作する第１ユーザー端末からの要求に応じて、前記第１ユーザーを識別するユーザー識別情報を含むＵＲＬ（Uniform Resource Locator）であって、アクセスすることによって所定のアプリケーションがアクセスした端末において実行されるＵＲＬを生成し、所定のソーシャルネットワーキングサービスにおいて前記ＵＲＬを投稿する処理を行うＵＲＬ生成・シェア手段と、
第２ユーザーによる操作に基づき前記ＵＲＬにアクセスし、前記所定のアプリケーションが実行される第２ユーザー端末からの要求に応じて、前記所定のアプリケーションを使用した所定のアクションがなされたことを検知するアクション検知手段と、
前記アクション検知手段が前記所定のアクションが行われたことを検知した場合、前記第２ユーザー端末がアクセスする前記ＵＲＬから前記ユーザー識別情報を抽出するユーザー識別情報抽出手段と、
前記ユーザー識別情報抽出手段が抽出した前記ユーザー識別情報によって識別されるユーザーに帰属する報酬金額に対し、前記所定のアクションを起こさせた報酬として所定金額を加算する報酬加算手段と、を有することを特徴とするアフィリエイト装置。
【請求項２】
前記所定のアクションが、前記所定のアプリケーションにおいて広告されている商品・サービスの購入に結び付く操作を含むアフィリエイト活動において成果の対象となる操作であることを特徴とする請求項１に記載のアフィリエイト装置。
【請求項３】
前記所定のアプリケーションが、ウェブブラウザで閲覧可能なウェブサイトであることを特徴とする請求項１又は２に記載のアフィリエイト装置。
【請求項４】
前記ＵＲＬが、前記所定のソーシャルネットワーキングサービスにおいて、一の前記ユーザーに関するアカウントを利用して他の前記ユーザーと情報を共有する処理であるシェア処理によって投稿される情報であることを特徴とする請求項１乃至３の何れか一に記載のアフィリエイト装置。
【請求項５】
前記シェア処理が、前記所定のソーシャルネットワーキングサービスが提供する機能を利用することを特徴とする請求項４に記載のアフィリエイト装置。
【請求項６】
前記シェア処理が、前記所定のソーシャルネットワーキングサービスとは異なるアプリケーションが提供する機能を利用することを特徴とする請求項４に記載のアフィリエイト装置。
【請求項７】
ＵＲＬ生成・シェア手段が、第１ユーザーが操作する第１ユーザー端末からの要求に応じて、前記第１ユーザーを識別するユーザー識別情報を含むＵＲＬ（Uniform Resource Locator）であって、アクセスすることによって所定のアプリケーションがアクセスした端末において実行されるＵＲＬを生成し、所定のソーシャルネットワーキングサービスにおいて前記ＵＲＬを投稿する処理を行うステップと、
アクション検知手段が、第２ユーザーによる操作に基づき前記ＵＲＬにアクセスし、前記所定のアプリケーションが実行される第２ユーザー端末からの要求に応じて、前記所定のアプリケーションを使用した所定のアクションがなされたことを検知するステップと、
ユーザー識別情報抽出手段が、前記アクション検知手段が前記所定のアクションが行われたことを検知した場合、前記第２ユーザー端末がアクセスする前記ＵＲＬから前記ユーザー識別情報を抽出するステップと、
報酬加算手段が、前記ユーザー識別情報抽出手段が抽出した前記ユーザー識別情報によって識別されるユーザーに帰属する報酬金額に対し、前記所定のアクションを起こさせた報酬として所定金額を加算するステップと、を含むアフィリエイト処理方法。
【請求項８】
前記所定のアクションが、前記所定のアプリケーションにおいて広告されている商品・サービスの購入に結び付く操作を含むアフィリエイト活動において成果の対象となる操作であることを特徴とする請求項７に記載のアフィリエイト処理方法。
【請求項９】
前記所定のアプリケーションが、ウェブブラウザで閲覧可能なウェブサイトであることを特徴とする請求項７又は８に記載のアフィリエイト処理方法。
【請求項１０】
前記ＵＲＬが、前記所定のソーシャルネットワーキングサービスにおいて、一の前記ユーザーに関するアカウントを利用して他の前記ユーザーと情報を共有する処理であるシェア処理によって投稿される情報であることを特徴とする請求項７乃至９の何れか一に記載のアフィリエイト処理方法。
【請求項１１】
前記シェア処理が、前記所定のソーシャルネットワーキングサービスが提供する機能を利用することを特徴とする請求項１０に記載のアフィリエイト処理方法。
【請求項１２】
前記シェア処理が、前記所定のソーシャルネットワーキングサービスとは異なるアプリケーションが提供する機能を利用することを特徴とする請求項１０に記載のアフィリエイト処理方法。
【請求項１３】
コンピューターに、請求項７乃至１２の何れか一に記載する方法を実行させるためのアフィリエイト処理プログラム。
【発明の詳細な説明】
【技術分野】
【０００１】
成功報酬型広告であるアフィリエイトプログラムを行う技術に関する。
【背景技術】
【０００２】
近年、インターネット等のコンピューターネットワーク上で行われる電子商取引が、ＢｔｏＢの形態のみならず、ＢｔｏＣ、ＣｔｏＣの形態でも盛んに行われている。
【０００３】
そして、電子商取引が活発に行われていることを背景にして、電子商取引サイトに訪問者を呼び込むために行われる販促活動の一つであり、所謂成功報酬型の広告であるアフィリエイトプログラムも活発に行われており、その手法に関する研究・開発が盛んに行われている。
【０００４】
アフィリエイトプログラムに関し、例えば、特許文献１では、第１ユーザーの入力に基づき第２ユーザーへ通知がなされ、当該通知に基づく所定のアクションがなされると、第１ユーザーへポイント付与されるアイデアが提案されている。また、特許文献２では、登録商品に関する情報がＳＮＳによってアップロードされ、アップロード情報を用いて登録商品が販売される場合、アップロードしたユーザーに予め設定された補償を提供するアイデアが提案されている。
【先行技術文献】
【特許文献】
【０００５】
【特許文献１】特開２０１６−０２７４７９号公報
【特許文献２】特開２０１５−０６４８９２号公報
【発明の概要】
【発明が解決しようとする課題】
【０００６】
しかしながら、上記従来技術においては、アフィリエイトプログラムに参加するアフィリエイター自身が、本プログラムの入り口となるウェブサイト（サイトに掲載するコンテンツ）を作成する必要があり、本プログラムを実現するために大きな手間が掛かるという問題点があった。
【０００７】
そこで本発明では、上記問題点に鑑み、アフィリエイターが、アフィリエイト活動の入り口となるウェブサイト及びそのコンテンツの作成に大きな手間を掛けることなく、本活動に参加することができるアフィリエイト装置を提供することを目的とする。
【課題を解決するための手段】
【０００８】
開示するアフィリエイト装置の一形態は、第１ユーザーが操作する第１ユーザー端末からの要求に応じて、前記第１ユーザーを識別するユーザー識別情報を含むＵＲＬ（Uniform Resource Locator）であって、アクセスすることによって所定のアプリケーションがアクセスした端末において実行されるＵＲＬを生成し、所定のソーシャルネットワーキングサービスにおいて前記ＵＲＬを投稿する処理を行うＵＲＬ生成・シェア手段と、第２ユーザーによる操作に基づき前記ＵＲＬにアクセスし、前記所定のアプリケーションが実行される第２ユーザー端末からの要求に応じて、前記所定のアプリケーションを使用した所定のアクションがなされたことを検知するアクション検知手段と、前記アクション検知手段が前記所定のアクションが行われたことを検知した場合、前記第２ユーザー端末がアクセスする前記ＵＲＬから前記ユーザー識別情報を抽出するユーザー識別情報抽出手段と、前記ユーザー識別情報抽出手段が抽出した前記ユーザー識別情報によって識別されるユーザーに帰属する報酬金額に対し、前記所定のアクションを起こさせた報酬として所定金額を加算する報酬加算手段と、を有することを特徴とする。
【発明の効果】
【０００９】
開示するアフィリエイト装置は、アフィリエイターが、アフィリエイト活動の入り口となるウェブサイト及びそのコンテンツの作成に大きな手間を掛けることなく、本活動に参加することができる。
【図面の簡単な説明】
【００１０】
【図１】本実施の形態に係るアフィリエイト装置の概要を説明する図である。
【図２】本実施の形態に係るアフィリエイト装置の機能ブロック図である。
【図３】本実施の形態に係るユーザー情報記憶手段の一例を示す図である。
【図４】本実施の形態に係る報酬記憶手段の一例を示す図である。
【図５】本実施の形態に係るアフィリエイトプログラムを実現するためのＵＲＬ（Uniform Resource Locator）の一例を示す図である。
【図６】本実施の形態に係るアフィリエイト装置のハードウエア構成例を示す図である。
【図７】本実施の形態に係るアフィリエイト装置によるアフィリエイト前処理の一例の流れを示すフローチャートである。
【図８】本実施の形態に係るアフィリエイト装置によるアフィリエイト処理の一例の流れを示すフローチャートである。
【発明を実施するための形態】
【００１１】
図面を参照しながら、本発明を実施するための形態について説明する。
（本実施の形態に係るアフィリエイト装置の動作原理）
【００１２】
図１を用いて、本実施の形態に係るアフィリエイト装置（以下、単に「本装置」という。）１００の概要について説明する。図１は、本装置１００と他装置２２０、２４０、３００との関係を説明するための図である。
【００１３】
図１で示すように、本装置１００は、通信ネットワーク３１０を介して、第１ユーザー２１０が操作する第１ユーザー端末２２０、第２ユーザー２３０が操作する第２ユーザー端末２４０、ＳＮＳ（ソーシャルネットワーキングサービス）２９０を提供するＳＮＳサーバー装置３００と接続される。通信ネットワーク３１０は、有線、無線の何れでも良く、インターネット、公衆通信回線網も含まれる。ユーザー端末２２０、２４０は、デスクトップ型・ノート型何れのコンピューターであっても良く、また、スマートフォンのような携帯情報端末であっても良く、所謂コンピューターであれば、その形態は限定されない。
【００１４】
第１ユーザー２１０は、アフィリエイトプログラム（アフィリエイト活動）に参加するユーザー、所謂アフィリエイターである。第２ユーザー２３０は、第１ユーザー２１０とは異なるユーザーであり、アフィリエイターであるか否かは問わない。ＳＮＳサーバー装置３００は、例えば、フェイスブック（登録商標）、ツイッター（登録商標）、ライン（登録商標）等のソーシャルネットワーキングサービス２９０を提供するサーバー装置である。
【００１５】
本装置１００は、所定のＵＲＬ（Uniform Resource Locator）２６０に対しアクセスした場合、アクセスした端末２４０において実行されるようなアプリケーション２７０を提供する。そして、本装置１００は、アフィリエイターであるユーザー２１０（第１ユーザー端末２２０）による要求に基づいて、ＵＲＬ２６０をＳＮＳ２９０においてシェアする処理を行う。
【００１６】
なお、アプリケーション２７０は、商品・サービスを広告するものであり、アプリケーション２７０を使用するユーザー２３０は、アプリケーション２７０において広告されている商品・サービスを購入することができる。また、ＵＲＬ２６０は、ユーザー２１０による操作のみならず、ユーザー２１０以外の他のユーザーによってＳＮＳ２９０におけるシェア処理がなされても良い。
【００１７】
ここで、ＵＲＬ２６０には、ユーザー２１０を識別する情報が含まれているため、本装置１００は、ユーザー２３０が利用するアプリケーション２７０に対応するＵＲＬ２６０に基づき、ユーザー２３０にアクセスを促したユーザー２１０を特定する。そして、本装置１００は、ユーザー２３０がアプリケーション２７０で広告される商品・サービスを購入した場合、ユーザー２３０にアプリケーション２７０へのアクセスの機会を提供したユーザー２１０に対して報酬を付与する処理を行う。
【００１８】
上記のような処理に基づき、本装置１００は、アフィリエイター２１０が、アフィリエイト活動の入り口となるウェブサイト及びそのコンテンツの作成に大きな手間を掛けることなく、本活動に参加できる環境を提供する。
【００１９】
図２乃至５を用いて、本装置１００の動作原理の詳細を説明する。図２は、本装置１００の機能ブロック図であり、図３乃至５は、本装置１００が備える各機能を説明するための図である。
【００２０】
図２で示すように、本装置１００は、ユーザー情報記憶手段１１０、報酬記憶手段１２０、ＵＲＬ生成・シェア手段１３０、アクション検知手段１４０、ユーザー識別情報抽出手段１５０、報酬加算手段１６０を有する。
【００２１】
ユーザー情報記憶手段１１０は、アフィリエイトプログラム（アフィリエイト活動）に参加するユーザー（アフィリエイター）２１０を識別するユーザー識別情報２５０と、ユーザー２１０に関する属性情報と、を関連付けて記憶する。属性情報は、特に限定されないが、例えば、氏名、性別、連絡先（メールアドレスを含む）、生年月日、アフィリエイト活動における報酬の決済手段等の情報である。
【００２２】
図３で示すように、ユーザー情報記憶手段１１０には、ユーザー識別情報２５０：“１０００００１”と、氏名：“皆村伸一”、性別：“男性”、報酬決済手段：“香港ドル、指定口座送金”等と、が関連付けて記憶される。また、ユーザー情報記憶手段１１０には、ユーザー識別情報２５０：“１０００００２”と、氏名：“吉原朋重”、性別：“男性”、報酬決済手段：“仮想通貨、指定口座送金”等と、が関連付けて記憶される。
【００２３】
報酬記憶手段１２０は、ユーザー識別情報２５０と、ユーザー識別情報２５０で識別されるユーザー２１０に帰属する報酬金額と、を対応付けて記憶する。報酬記憶手段１２０は、アフィリエイトプログラムにおける成果として付与された報酬金額を記憶するものであり、報酬金額は、ユーザー情報記憶手段１１０に記憶される報酬決済手段で指定される方法によってユーザー２１０へ支払われる。
【００２４】
図４（ａ）で示すように、報酬記憶手段１２０には、ユーザー識別情報２５０：“１０００００１”と、報酬金額：“１０００，０００”と、報酬金額の単位：“香港ドル”と、が関連付けて記憶される。また、報酬記憶手段１２０には、ユーザー識別情報２５０：“１０００００２”と、報酬金額：“２０，０００”と、報酬金額の単位：“仮想通貨”と、が関連付けて記憶される。
【００２５】
ＵＲＬ生成・シェア手段１３０は、第１ユーザー２１０が操作する第１ユーザー端末２２０からの要求に応じて、第１ユーザー２１０を識別するユーザー識別情報２５０を含むＵＲＬ２６０であって、アクセスすることによって所定のアプリケーション２７０がアクセスした端末２４０において実行されるＵＲＬ２６０を生成する。アプリケーション２７０は、アフィリエイトプログラムを実現するためのアプリケーションソフトウエアであって、商品・サービスを広告し、広告対象の商品・サービスを購入することができるものである。アプリケーション２７０の一例としては、端末２４０が備えるウェブブラウザによって閲覧可能なウェブサイトであっても良く、情報キュレーションサービスやニュース配信サービスを行うアプリケーションソフトウエアが想定されるが、これに限られるわけではない。
【００２６】
図５で示すように、ＵＲＬ生成・シェア手段１３０によって生成されるＵＲＬ２６０の一例として、“http://wadai-douga-matome.net/kp?aid=45274&mid=1000001”というものが想定され、この場合、“aid=45274”が記事ＩＤを表し、“mid=1000001”がユーザー識別情報２５０を表す。
【００２７】
ＵＲＬ生成・シェア手段１３０は、所定のＳＮＳ２９０において、生成したＵＲＬ２６０を投稿する（シェアする）処理を行う。ＳＮＳ２９０は、特に限定されるものではないが、例えば、フェイスブック（登録商標）、ツイッター（登録商標）、ライン（登録商標）等のソーシャルネットワーキングサービスが想定される。シェア処理とは、ＳＮＳ２９０において、一のユーザーに関するアカウントを利用して他のユーザーと情報を共有することを実現させるための処理をいう。
【００２８】
ここで、ＵＲＬ２６０は、ＵＲＬ生成・シェア手段１３０によるシェア処理に加えて、ＳＮＳ２９０が提供する機能を利用するシェア処理が行われたり、ＳＮＳ２９０とは異なるアプリケーションソフトウエア（例えば、本装置１００）が提供する機能を利用するシェア処理が行われたりしても良い。シェア処理が多段階に渡って（重畳的に）行われても、シェア（投稿）されるＵＲＬ２６０は変更されないため、下記にて説明する本装置１００による処理に支障はない。
【００２９】
アクション検知手段１４０は、第２ユーザー２３０による操作に基づきＵＲＬ２６０にアクセスし、所定のアプリケーション２７０が実行される第２ユーザー端末２４０からの要求に応じて所定の処理を行う。アクション検知手段１４０は、所定のアプリケーション２７０を使用した所定のアクション２８０がなされたことを検知する。第２ユーザー端末２４０では、ＵＲＬ２６０にアクセスすると、第２ユーザー端末２４０上でアプリケーション２７０が実行される。
【００３０】
アクション２８０とは、本装置１００が提供するアフィリエイトプログラムにおいて成果報酬の対象となる行動（操作）であって、例えば、アプリケーション２７０において広告される商品・サービスの購入に結び付く操作が行われることである。アクション２８０は、その他、所定のソフトウエアのダウンロード、所定のウェブサイトへのページ遷移、アンケートへの回答、ユーザー情報の入力（提供）等、アフィリエイトプログラムにおいて成果報酬の対象として規定されるものであれば、その内容は限定されない。
【００３１】
ユーザー識別情報抽出手段１５０は、アクション検知手段１４０によってアクション２８０が行われたことが検知された場合、アプリケーション２７０の実行のために第２ユーザー端末２４０がアクセスしていたＵＲＬ２６０からユーザー識別情報２５０を抽出する。ＵＲＬ２６０には所定の規則に従ってユーザー識別情報２５０が埋め込まれているため、ユーザー識別情報抽出手段１５０は、その規則に従ってＵＲＬ２６０からユーザー識別情報２５０を抽出する。
【００３２】
図５で示すように、ユーザー識別情報抽出手段１５０は、例えば、ＵＲＬ２６０が“http://wadai-douga-matome.net/kp?aid=45274&mid=1000001”である場合、ユーザー識別情報２５０の出現を示す記号“mid=”の直後の“１０００００１”をユーザー識別情報２５０として抽出する。
【００３３】
報酬加算手段（報酬付与手段）１６０は、ユーザー識別情報抽出手段１５０によって抽出されたユーザー識別情報２５０によって識別されるユーザー２１０に帰属する報酬金額に対し、所定のアクション２８０を起こさせた報酬として所定金額を加算（付与）する処理を行う。
【００３４】
報酬加算手段１６０は、ユーザー情報記憶手段１１０を参照し、ユーザー識別情報抽出手段１５０が抽出したユーザー識別情報２５０で識別されるユーザー２１０を特定すると共に、特定したユーザー２１０に帰属する報酬金額に所定金額を加算する形態でも良い。
【００３５】
図４（ａ）（ｂ）で示すように、ユーザー識別情報抽出手段１５０がユーザー識別情報２５０：“１０００００１”を抽出した場合、報酬加算手段１６０は、報酬記憶手段１２０においてユーザー識別情報２５０：“１０００００１”と対応付けて記憶される金額：“１００，０００”に対し、所定金額：“１０”を加算する処理を行う。なお、図４（ａ）は報酬加算手段１６０による処理適用前の報酬記憶手段１２０であり、図４（ｂ）は報酬加算手段１６０による処理適用後の報酬記憶手段１２０である。
【００３６】
上記した処理に基づいて、本装置１００は、アフィリエイター２１０が、アフィリエイト活動の入り口となるコンテンツの作成に大きな手間を掛けることなく、本活動に参加できるような環境を提供する。
（本実施の形態に係るアフィリエイト装置のハードウエア構成）
【００３７】
図６を用いて、本装置１００のハードウエア構成例について説明する。図６は、本装置１００のハードウエア構成の一例を示す図である。図６で示すように、本装置１００は、ＣＰＵ（Central Processing Unit）４１０、ＲＯＭ（Read-Only Memory）４２０、ＲＡＭ（Random Access Memory）４３０、補助記憶装置４４０、通信Ｉ／Ｆ４５０、入力装置４６０、出力装置（表示装置）４７０、記録媒体Ｉ／Ｆ４８０を有する。
【００３８】
ＣＰＵ４１０は、ＲＯＭ４２０に記憶されたプログラムを実行する装置であり、ＲＡＭ４３０に展開（ロード）されたデータを、プログラムの命令に従って演算処理し、本装置１００全体を制御する。ＲＯＭ４２０は、ＣＰＵ４１０が実行するプログラムやデータを記憶している。ＲＡＭ４３０は、ＣＰＵ４１０でＲＯＭ４２０に記憶されたプログラムを実行する際に、実行するプログラムやデータが展開（ロード）され、演算の間、演算データを一時的に保持する。
【００３９】
補助記憶装置４４０は、基本ソフトウエアであるＯＳ（Operating System）や本実施の形態に係るアプリケーションプログラムなどを、関連するデータとともに記憶する装置であり、例えば、ＨＤＤ（Hard Disc Drive）やフラッシュメモリなどである。
【００４０】
通信Ｉ／Ｆ４５０は、有線・無線ＬＡＮ（Local Area Network）、インターネットなどの通信ネットワーク３１０に接続し、通信機能を提供する他装置とデータの授受を行うためのインターフェースである。
【００４１】
入力装置４６０は、キーボードやタッチパネルなど本装置１００にデータ入力を行うための装置である。出力装置４７０は、ＬＣＤ（Liquid Crystal Display）等で構成される装置であり、本装置１００が有する機能をユーザーが利用する際や各種設定を行う際のユーザーインターフェースとして機能する装置である。
記録媒体Ｉ／Ｆ４８０は、ＣＤ−ＲＯＭ、ＤＶＤ−ＲＯＭ、ＵＳＢメモリなどの記録媒体４９０とデータの送受信を行うためのインターフェースである。
【００４２】
本装置１００が有する各手段は、ＣＰＵ４１０が、ＲＯＭ４２０又は補助記憶装置４４０に記憶された各手段に対応するプログラムを実行することにより実現される形態としても良い。また、本装置１００が有する各手段は、当該各手段に関する処理をハードウエアとして実現される形態としても良い。また、通信Ｉ／Ｆ４５０を介して外部サーバー装置から本発明に係るプログラムを読み込ませたり、記録媒体Ｉ／Ｆ４８０を介して記録媒体４９０から本発明に係るプログラムを読み込ませたりして、本装置１００に当該プログラムを実行させる形態としても良い。
（本実施の形態に係るアフィリエイト装置による処理例）
（１）本装置１００によるアフィリエイト準備処理の例
【００４３】
図７を用いて、本装置１００によるアフィリエイト準備処理の一例の流れについて説明する。図７は、本装置１００によるアフィリエイト準備処理の一例の流れを示すフローチャートである。
【００４４】
Ｓ１０で本装置１００が、第１ユーザー２１０が操作する第１ユーザー端末２２０から、第１ユーザー２１０に関するアフィリエイターとしての登録要求を受け付ける。続けて、本装置１００が、第１ユーザー端末２２０から第１ユーザー２１０の属性情報を受け付けると共に、第１ユーザー２１０に対しユーザー識別情報２５０を割り当てる。そして、本装置１００が、第１ユーザー２１０の属性情報と、第１ユーザー２１０に割り当てたユーザー識別情報２５０と、をユーザー情報記憶手段１１０に登録する。
【００４５】
図３で示すように、ユーザー情報記憶手段１１０には、ユーザー識別情報２５０：“１０００００１”と、氏名：“皆村伸一”、性別：“男性”、報酬決済手段：“香港ドル、指定口座送金”等と、が関連付けて記憶される。また、ユーザー情報記憶手段１１０には、ユーザー識別情報２５０：“１０００００２”と、氏名：“吉原朋重”、性別：“男性”、報酬決済手段：“仮想通貨、指定口座送金”等と、が関連付けて記憶される。
【００４６】
また、Ｓ１０で本装置１００が、報酬記憶手段１２０に対し、ユーザー識別情報２５０と、ユーザー識別情報２５０で識別されるユーザー２１０に帰属する報酬金額と、を初期設定する。報酬記憶手段１２０は、アフィリエイトプログラムにおける成果として付与された報酬金額を記憶するものであり、報酬金額は、ユーザー情報記憶手段１１０に記憶される報酬決済手段で指定される方法によってユーザー２１０へ支払われる。
【００４７】
Ｓ２０でＵＲＬ生成・シェア手段１３０が、第１ユーザー２１０が操作する第１ユーザー端末２２０からの要求に応じて、第１ユーザー２１０を識別するユーザー識別情報２５０を含むＵＲＬ２６０であって、アクセスすることによって所定のアプリケーション２７０がアクセスした端末２４０において実行されるＵＲＬ２６０を生成する。
【００４８】
アプリケーション２７０は、アフィリエイトプログラムを実現するためのアプリケーションソフトウエアであって、商品・サービスを広告し、広告対象の商品・サービスを購入することができるものである。アプリケーション２７０の一例としては、端末２４０が備えるウェブブラウザによって閲覧可能なウェブサイトであっても良く、情報キュレーションサービスやニュース配信サービスを行うアプリケーションソフトウエアが想定されるが、これに限られるわけではない。
【００４９】
図５で示すように、ＵＲＬ生成・シェア手段１３０によって生成されるＵＲＬ２６０の一例として、“http://wadai-douga-matome.net/kp?aid=45274&mid=1000001”というものが想定され、この場合、“aid=45274”が記事ＩＤを表し、“mid=1000001”がユーザー識別情報２５０を表す。
【００５０】
Ｓ３０でＵＲＬ生成・シェア手段１３０が、Ｓ２０において生成したＵＲＬ２６０を所定のＳＮＳ２９０で投稿する（シェアする）処理を行う。ＳＮＳ２９０は、特に限定されるものではないが、例えば、フェイスブック（登録商標）、ツイッター（登録商標）、ライン（登録商標）等のソーシャルネットワーキングサービスが想定される。シェア処理とは、ＳＮＳ２９０において、一のユーザーに関するアカウントを利用して他のユーザーと情報を共有することを実現させるための処理をいう。
【００５１】
上記処理を行うことによって、本装置１００は、アフィリエイター２１０が、アフィリエイト活動の入り口となるウェブサイト及びそのコンテンツの作成に大きな手間を掛けることなく、本活動に参加することができる環境の設定・準備を行う。
（２）本装置１００によるアフィリエイト処理の一例
【００５２】
図８を用いて、本装置１００によるアフィリエイト処理の一例の流れについて説明する。図８は、本装置１００によるアフィリエイト処理の一例の流れを示すフローチャートである。
【００５３】
Ｓ１１０で本装置１００が、第２ユーザー２３０による操作に基づき第２ユーザー端末２４０によるＵＲＬ２６０へのアクセスを受け付け、Ｓ１２０で本装置１００が、第２ユーザー端末２４０において所定のアプリケーション２７０を実行させる。
【００５４】
ここで、第２ユーザー２３０による操作に基づいて、第２ユーザー端末２４０が所定のアプリケーション２７０を使用し、所定のアクション２８０を行った場合を想定する。アクション２８０とは、本装置１００が提供するアフィリエイトプログラムにおいて成果報酬の対象となるアクションであって、例えば、アプリケーション２７０において広告される商品・サービスの購入に結び付く操作である。アクション２８０は、その他、所定のソフトウエアのダウンロード、所定のウェブサイトへのページ遷移、アンケートへの回答、ユーザー情報の入力（提供）等、アフィリエイトプログラムにおいて成果報酬の対象として規定されるものであれば、その内容は限定されない。
【００５５】
Ｓ１３０でアクション検知手段１４０が、第２ユーザー２３０による操作に基づきＵＲＬ２６０にアクセスし、アプリケーション２７０が実行される第２ユーザー端末２４０からの要求に応じて、アプリケーション２７０を使用してアクション２８０がなされたことを検知する。
【００５６】
Ｓ１３０においてアクション２８０が行われたことを検知した場合、Ｓ１４０でユーザー識別情報抽出手段１５０が、アプリケーション２７０の実行のために第２ユーザー端末がアクセスしていたＵＲＬ２６０からユーザー識別情報２５０を抽出する。ＵＲＬ２６０には所定の規則に従ってユーザー識別情報２５０が埋め込まれているため、ユーザー識別情報抽出手段１５０は、その規則に従ってＵＲＬ２６０からユーザー識別情報２５０を抽出する。
【００５７】
図５で示すように、ユーザー識別情報抽出手段１５０は、例えば、ＵＲＬ２６０が“http://wadai-douga-matome.net/kp?aid=45274&mid=1000001”である場合、ユーザー識別情報２５０の出現を示す記号“mid=”の直後の“1000001”をユーザー識別情報２５０として抽出する。
【００５８】
Ｓ１５０で報酬加算手段１６０が、ユーザー情報記憶手段１１０に記憶される情報を参照し、Ｓ１４０において抽出したユーザー識別情報２５０によって識別されるユーザー２１０を特定する。図３乃至５で示すように、例えば、ユーザー識別情報２５０として“１０００００１”が抽出された場合、報酬加算手段１６０は、ユーザー情報記憶手段１１０を参照し、成果報酬を付与するアフィリエイター２１０の氏名：“皆村伸一”等を特定する。
【００５９】
Ｓ１６０で報酬加算手段（報酬付与手段）１６０が、Ｓ１５０において特定したアフィリエイター２１０に対し、アクション２８０を起こさせた報酬として所定金額を加算（付与）する処理を行う。
【００６０】
図４（ａ）（ｂ）で示すように、例えば、Ｓ１４０においてユーザー識別情報２５０：“１０００００１”が抽出された場合、報酬加算手段１６０は、報酬記憶手段１２０においてユーザー識別情報２５０：“１０００００１”と対応付けて記憶される金額：“１００，０００”に対し、所定金額：“１０”を加算する処理を行う。なお、図４（ａ）は報酬加算手段１６０による処理適用前の報酬記憶手段１２０であり、図４（ｂ）は報酬加算手段１６０による処理適用後の報酬記憶手段１２０である。
【００６１】
上記した処理に基づいて、本装置１００は、アフィリエイター２１０が、アフィリエイト活動の入り口となるコンテンツの作成に大きな手間を掛けることなく、本活動に参加できるような環境を提供する。
【００６２】
以上、本発明の実施の形態について詳述したが、本発明は係る特定の実施の形態に限定されるものではなく、特許請求の範囲に記載された本発明の要旨の範囲において、種々の変形・変更が可能である。
【符号の説明】
【００６３】
１００  アフィリエイト装置
１１０  ユーザー情報記憶手段
１２０  報酬記憶手段
１３０  ＵＲＬ生成・シェア手段
１４０  アクション検知手段
１５０  ユーザー識別情報抽出手段
１６０  報酬加算手段
２１０  第１ユーザー
２２０  第１ユーザー端末
２３０  第２ユーザー
２４０  第２ユーザー端末
２５０  ユーザー識別情報
２６０  アプリケーション２７０を実行させるＵＲＬ
２７０  アフィリエイトプログラムの構成要素であるアプリケーション（ソフトウエア）
２８０  アフィリエイトプログラムにおいて報酬の対象となるアクション（アフィリエイトプログラムにおいて成果として評価される操作）
２９０  ソーシャルネットワーキングサービス（ＳＮＳ）
３００  ＳＮＳサーバー装置
３１０  通信ネットワーク
４１０  ＣＰＵ
４２０  ＲＯＭ
４３０  ＲＡＭ
４４０  補助記憶装置
４５０  通信インターフェース
４６０  入力装置
４７０  出力装置
４８０  記録媒体インターフェース
４９０  記録媒体
【図１】
2019133215.tif 000003
【図２】
2019133215.tif 000004
【図３】
2019133215.tif 000005
【図４】
2019133215.tif 000006
【図５】
2019133215.tif 000007
【図６】
2019133215.tif 000008
【図７】
2019133215.tif 000009
【図８】
2019133215.tif 000010